(57)【要約】【課題】  本発明は，ｎ個の階調を用いて，その中間階調を実現し，更に滑らかな画面を実現する液晶表示装置及びその駆動方法を提供することを目的としている。【解決手段】  本発明によれば，複数の画素のうちの一つの画素に赤，緑，青の光を順次に透過させ，上記駆動方法は各々赤，青，緑の光を駆動するための赤フィールド，青フィールド及び緑フィールドを含み，上記赤フィールド，緑フィールド及び青フィールドの各々に対して現在フレームのフィールドで第１画素に第１共通電圧と第１階調データに相当する第１階調電圧を印加した後，次のフレームのフィールドで上記第１画素に第２共通電圧と上記第１階調データより一段階低い第２階調データに相当する第２階調電圧を印加して中間階調を実現する。その結果，中間階調を実現して滑らかな画像を実現することができる。【選択図】    図４
2005331942.tif 000002
【特許請求の範囲】
【請求項１】
複数の走査線と；前記走査線と絶縁されて交差する複数のデータ線と；前記走査線及びデータ線によって囲まれた領域に形成され，各々前記走査線及びデータ線に連結されているスイッチング素子を有する行列形態で配列された複数の画素と；を含み，前記複数の画素のうちの一つの画素に赤，緑，青の光を順次に透過させる液晶表示装置の駆動方法において：
前記駆動方法は各々赤，青，緑の光を駆動するための赤フィールド，青フィールド及び緑フィールドを含み，
前記赤フィールド，緑フィールド及び青フィールドの各々に対して，
現在フレームのフィールドにおいて，第１画素に第１共通電圧と第１階調データに相当する第１階調波形を印加する段階と；
次のフレームのフィールドにおいて，前記第１画素に第２共通電圧と前記第１階調データより一段階低い第２階調データに相当する第２階調波形を印加する段階と；を含み，
前記第１階調データと前記第２階調データの中間階調を表現することを特徴とする液晶表示装置の駆動方法。
【請求項２】
前記第１共通電圧と前記第２共通電圧はフィールド単位で変調され，第１共通電圧が前記階調波形のデータ電圧より一定電圧だけ大きい場合には，前記第２共通電圧はデータ電圧より一定電圧だけ小さいことを特徴とする，請求項１に記載の液晶表示装置の駆動方法。
【請求項３】
前記第１共通電圧と前記第２共通電圧はフィールド単位で変調され，第２共通電圧が階調波形のデータ電圧より一定電圧だけ大きい場合には，前記第１共通電圧はデータ電圧より一定電圧だけ小さいことを特徴とする，請求項１に記載の液晶表示装置の駆動方法。
【請求項４】
第１及び第２基板の間に形成される液晶を備え，一つの画素に赤，緑，青の光を順次に透過させる液晶表示装置の駆動方法において：
（ａ）第１画素に第１共通電圧と第１階調データに相当する第１階調電圧を印加する段階と；
（ｂ）前記（ａ）段階の後に前記第１画素に第２共通電圧と前記第１階調データより一段階低い第２階調データに相当する第２階調電圧を印加する段階と；を含み，
前記第１階調データと前記第２階調データの中間階調を表現することを特徴とする液晶表示装置の駆動方法。
【請求項５】
走査信号を伝達する複数の走査線と，前記走査線と絶縁されて交差する複数のデータ線，前記走査線及びデータ線によって囲まれた領域に形成され，各々前記走査線及びデータ線に連結されているスイッチング素子及び前記スイッチング素子に一端が連結されて共通電極線に他端が連結されたキャパシタを含み，行列形態で配列された複数の画素を含む液晶表示パネルと；
前記走査線に走査信号を順次に供給する走査ドライバーと；
中間階調を表現する時，現在フレームのフィールドで第１画素に第１階調データに相当する第１階調電圧を生成し，次のフレームのフィールドで前記第１画素に前記第１階調データより一段階低い第２階調データに相当する第２階調電圧を生成する階調電圧発生部と；
第１共通電圧及び第２共通電圧を生成し，前記第１階調電圧の印加時には第１共通電圧，前記第２階調電圧の印加時には第２共通電圧を前記キャパシタに連結された共通電極に印加する共通電圧発生部と；
前記階調電圧発生部から出力された階調電圧を当該データ線に供給するデータドライバーと；
一つの画素に各々赤，緑，青の光を順次に出力する光源と；
を含むことを特徴とする液晶表示装置。
【請求項６】
前記第１共通電圧と前記第２共通電圧はフィールド単位で変調され，第２共通電圧がデータ電圧より一定電圧だけ大きい場合には，前記第１共通電圧はデータ電圧より一定電圧だけ小さいことを特徴とする，請求項５に記載の液晶表示装置。
【請求項７】
前記第１共通電圧と前記第２共通電圧はフィールド単位で変調され，第１共通電圧がデータ電圧より一定電圧だけ大きい場合には，前記第２共通電圧はデータ電圧より一定電圧だけ小さいことを特徴とする，請求項５に記載の液晶表示装置。
【請求項８】
複数の走査線と；前記走査線と絶縁されて交差する複数のデータ線と；前記走査線及びデータ線によって囲まれた領域に形成され，各々前記走査線及びデータ線に連結されているスイッチング素子を有する行列形態で配列された複数の画素と；を含み，前記複数の画素のうちの一つの画素に赤，緑，青の光を順次に透過させる液晶表示装置の駆動方法において：
前記駆動方法は各々赤，青，緑の光を駆動するための赤フィールド，青フィールド及び緑フィールドを含み，
前記赤フィールド，緑フィールド及び青フィールドの各々に対して，
現在フレームのフィールドにおいて，第１画素に第１階調データに相当する第１階調波形を印加し，第１共通電圧を共通電極に印加する段階と；
次のフレームのフィールドで前記第１画素に前記第１階調データより一段階低い第２階調データに相当する第２階調波形を印加し，第２共通電圧を共通電極に印加する段階と；を含み，
前記第１階調データと前記第２階調データの中間階調を表現することを特徴とする液晶表示装置の駆動方法。
【請求項９】
前記第１共通電圧と前記第２共通電圧はフィールド単位で切り替えられ，第１共通電圧が前記階調波形のデータ電圧より一定電圧だけ大きい場合には，前記第２共通電圧はデータ電圧より一定電圧だけ小さいことを特徴とする，請求項８に記載の液晶表示装置の駆動方法。
【請求項１０】
前記第１共通電圧と前記第２共通電圧はフィールド単位で切り替えられ，第２共通電圧が前記階調波形のデータ電圧より一定電圧だけ大きい場合には，前記第１共通電圧はデータ電圧より一定電圧だけ小さいことを特徴とする，請求項８に記載の液晶表示装置の駆動方法。
【発明の詳細な説明】
【技術分野】
【０００１】
本発明は液晶表示装置及びその駆動方法に関し，より具体的にはフィールド順次駆動方式のカラー液晶表示装置及びその駆動方法に関する。
【背景技術】
【０００２】
近来パソコンやテレビなどの軽量化及び薄形化によって表示装置にも軽量化及び薄形化が要求されており，このような要求によって陰極線管（ＣＲＴ）の代わりに液晶表示装置（ＬＣＤ）のようなフラットパネル形表示が開発されている。
【０００３】
ＬＣＤは対向する両基板の間に注入されている異方性誘電率を有する液晶物質に電界を印加し，この電界の強さを調節して外部の光源（例えば，バックライト）から基板に透過する光の量を調節することによって所望の画像を得る表示装置である。
【０００４】
このようなＬＣＤは携帯が簡便なフラットパネル形表示の中で代表的なものであって，この中でも薄膜トランジスタ（ＴＦＴ）をスイッチング素子として利用したＴＦＴ−ＬＣＤが主に利用されている。
【０００５】
ＴＦＴ−ＬＣＤでは，各画素は液晶を誘電体とするキャパシタ，つまり，液晶キャパシタとしてモデリングすることができるが，このようなＬＣＤにおける各画素の等価回路は図１のようである。
【０００６】
図１に示したように，液晶表示装置の各画素は，データ線Ｄｍと走査線Ｓｎに各々ソース電極とゲート電極が連結されるＴＦＴ１０と，ＴＦＴのドレイン電極と共通電圧線Ｖｃｏｍとの間に連結される液晶キャパシタＣｌとＴＦＴのドレイン電極に連結されるストレージキャパシタＣｓｔを含む。
【０００７】
図１で，走査線Ｓｎに走査信号が印加されてＴＦＴ１０が導通すれば，データ線に供給されたデータ電圧ＶｄがＴＦＴを通って各画素電極（図示せず）に印加される。その結果，画素電極に印加される画素電圧Ｖｐと共通電圧Ｖｃｏｍの差に相当する電界が液晶（図１では等価的に液晶キャパシタで示した）に印加されて，この電界の強さに対応する透過率で光を透過させる。この時，画素電圧Ｖｐは１フレームまたは１フィールドの間は継続して維持されなければならないが，図１におけるストレージキャパシタＣｓｔは画素電極に印加された画素電圧Ｖｐを維持するために補助的に使用される。
【０００８】
一般に液晶表示装置はカラー画像を表示する方式によってカラーフィルター方式とフィールド順次駆動方式の２種類に分けることができる。
【０００９】
カラーフィルター方式の液晶表示装置は両基板のうちの一つの基板に赤（Ｒ），緑（Ｇ），青（Ｂ）の３原色からなるカラーフィルター層を形成し，このカラーフィルター層を透過する光路から放射される光量を調節することによって所望の色彩を表示する。カラーフィルター方式のＬＣＤは，単一光源から照射される光を赤，緑，青色フィルター層に透過させることにおいて，赤，緑，青色フィルター層に透過する光の量を調節して，Ｒ，Ｇ，Ｂ色を合成して所望の色彩を表示する。
【００１０】
このように単一光源と３色カラーフィルター層を利用して色彩を表示する液晶表示装置においては，Ｒ，Ｇ，Ｂ各領域ごとに各々対応する単位画素が必要であるので白黒を表示する場合の３倍もの画素が必要となる。したがって，高解像度の画像を得るためには液晶表示パネルの精巧な製造技術が要求される。
【００１１】
また，液晶表示装置基板に別途のカラーフィルター層を形成しなければならない製造上の面倒さがあり，カラーフィルター自体の光透過率を向上させなければならない問題点がある。
【００１２】
これに対し，フィールド順次駆動方式の液晶表示装置はＲ，Ｇ，Ｂ各色の独立した光源を順次周期的に点灯し，その点灯周期に同期して各画素に対応する色信号を加えることによってフルカラーの画像を得る。つまり，フィールド順次駆動方式の液晶表示装置によれば，一つの画素をＲ，Ｇ，Ｂ単位画素に分割せず，一つの画素にＲ，Ｇ，Ｂバックライトから出力されるＲ，Ｇ，Ｂ３原色の光を時分割的に順次表示することによって目の残像効果を利用してカラー画像を表示する。
【００１３】
このようなフィールド順次駆動方式はアナログ駆動方式とデジタル駆動方式に区分することができる。
【００１４】
アナログ駆動方式は表示しようとする階調数に対応する複数の階調電圧を設定し，上記階調電圧のうちの階調データに相当する一つの階調電圧を選択して選択された階調電圧で液晶パネルを駆動することによって，印加された階調電圧に対応する透過光量で階調表示を行う。
【００１５】
図２は従来のアナログ駆動方式の液晶表示装置による駆動電圧及び透過光量を示す図面である。
【００１６】
図２に示すように，赤色を表示するためのＲフィールド区間Ｔｒで，Ｖ１１レベルの駆動電圧が液晶に印加されてＶ１１レベルの駆動電圧に相当する光が液晶を透過する。緑色を表示するためのＧフィールド区間ＴｇではＶ１２レベルの駆動電圧が印加されてＶ１２レベルの駆動電圧に相当する光が液晶を透過する。そして，青色を表示するためのＢフィールド区間Ｔｂで，Ｖ１３レベルの駆動電圧が印加されてＶ１３レベルの駆動電圧に相当する光透過量が得られる。Ｔｒ，Ｔｇ，Ｔｂ区間で透過された各々Ｒ，Ｇ，Ｂ光の合計によって所望のカラー画像が表示される。
【００１７】
以上のようなアナログ駆動方式とは異なり，デジタル駆動方式は液晶に印加される駆動電圧を一定にし，電圧印加時間を制御して階調表示を行う。このようなデジタル駆動方式によれば，駆動電圧を一定に維持して電圧印加状態及び電圧非印加状態をタイミング的に制御して液晶を透過する累積光量を調節することによって階調を表示する。
【００１８】
図３は従来型デジタル駆動方式の液晶表示装置の駆動方法を説明するための波形図を示しており，所定ビットの駆動データによる駆動電圧の波形と，それによって液晶を透過する光量の波形を示す。
【００１９】
図３に示すように，各階調に相当する階調波形データが所定ビット，例えば７ビットのデジタル信号で提供され，７ビットのデータによる階調波形が液晶に印加される。そして，印加された階調波形によって液晶の透過量が決定されて階調表示を行う。
【００２０】
一方，従来は制限された時間内に多様な階調を表現して画面を滑らかに表現するように活発な研究が行われている。上記のようなパルス幅変調方式（Pulse Width Modulation：ＰＷＭ）の他にも，特許文献１に示されるように，フレーム変調方式（Frame Rate
Modulation：ＦＲＭ）が知られている（たとえば，特許文献１，２を参照。）。ＦＲＭは，オン又はオフの２階調を複数フレームにわたって適宜フレーム単位で切り換えることにより，時間的に平均化された実効電圧のバリエーションをもたせ，結果的に２以上の階調表示を行うものである。
【００２１】
また一般に，液晶表示装置は，直流電流を長時間印加されると焼き付きが生じるため，一定周期で電圧の極性を反転させている。このとき1ラインごとに極性を反転するライン反転駆動と，1ドットごとに極性を反転するドット反転駆動がある。
【特許文献１】特開２００３−１５０１２１号公報
【特許文献２】特開２００３−１６２２６７号公報
【発明の開示】
【発明が解決しようとする課題】
【００２２】
本発明は，ｎ個の階調を用いて，その中間階調を表現し，更に滑らかな画面を表現する液晶表示装置及びその駆動方法を提供することを目的としている。
【課題を解決するための手段】
【００２３】
上記課題を解決するために，本発明に係る液晶表示装置の駆動方法の代表的な構成は，複数の走査線と；上記走査線と絶縁されて交差する複数のデータ線と；上記走査線及びデータ線によって囲まれた領域に形成され，各々上記走査線及びデータ線に連結されているスイッチング素子を有する行列形態で配列された複数の画素と；を含み，上記複数の画素のうちの一つの画素に赤，緑，青の光を順次に透過させる液晶表示装置の駆動方法において：上記駆動方法は各々赤，青，緑の光を駆動するための赤フィールド，青フィールド及び緑フィールドを含み，上記赤フィールド，緑フィールド及び青フィールドの各々に対して，現在フレームのフィールドにおいて，第１画素に第１共通電圧と第１階調データに相当する第１階調波形を印加する段階と；次のフレームのフィールドにおいて，上記第１画素に第２共通電圧と上記第１階調データより一段階低い第２階調データに相当する第２階調波形を印加する段階と；を含み，上記第１階調データと上記第２階調データの中間階調を表現することを特徴とする。
【００２４】
上記第１共通電圧と上記第２共通電圧はフィールド単位で変調され，第１共通電圧が上記階調波形のデータ電圧より一定電圧だけ大きい場合には，上記第２共通電圧はデータ電圧より一定電圧だけ小さくてもよい。
【００２５】
上記第１共通電圧と上記第２共通電圧はフィールド単位で変調され，第２共通電圧が階調波形のデータ電圧より一定電圧だけ大きい場合には，上記第１共通電圧はデータ電圧より一定電圧だけ小さくてもよい。
【００２６】
また本発明に係る液晶表示装置の駆動方法の他の代表的な構成は，第１及び第２基板の間に形成される液晶を備え，一つの画素に赤，緑，青の光を順次に透過させる液晶表示装置の駆動方法において：（ａ）第１画素に第１共通電圧と第１階調データに相当する第１階調電圧を印加する段階と；（ｂ）上記（ａ）段階の後に上記第１画素に第２共通電圧と上記第１階調データより一段階低い第２階調データに相当する第２階調電圧を印加する段階と；を含み，上記第１階調データと上記第２階調データの中間階調を表現することを特徴とする。
【００２７】
また本発明に係る液晶表示装置の代表的な構成は，走査信号を伝達する複数の走査線と，上記走査線と絶縁されて交差する複数のデータ線，上記走査線及びデータ線によって囲まれた領域に形成され，各々上記走査線及びデータ線に連結されているスイッチング素子及び上記スイッチング素子に一端が連結されて共通電極線に他端が連結されたキャパシタを含み，行列形態で配列された複数の画素を含む液晶表示パネルと；上記走査線に走査信号を順次に供給する走査ドライバーと；中間階調を表現する時，現在フレームのフィールドで第１画素に第１階調データに相当する第１階調電圧を生成し，次のフレームのフィールドで上記第１画素に上記第１階調データより一段階低い第２階調データに相当する第２階調電圧を生成する階調電圧発生部と；第１共通電圧及び第２共通電圧を生成し，上記第１階調データの印加時には第１共通電圧，上記第２階調電圧の印加時には第２共通電圧を上記キャパシタに連結された共通電極に印加する共通電圧発生部と；上記階調電圧発生部から出力された階調電圧を当該データ線に供給するデータドライバーと；一つの画素に各々赤，緑，青の光を順次に出力する光源と；を含むことを特徴とする。
【００２８】
上記第１共通電圧と上記第２共通電圧はフィールド単位で変調され，第２共通電圧がデータ電圧より一定電圧だけ大きい場合には，上記第１共通電圧はデータ電圧より一定電圧だけ小さくてもよい。
【００２９】
上記第１共通電圧と上記第２共通電圧はフィールド単位で変調され，第１共通電圧がデータ電圧より一定電圧だけ大きい場合には，上記第２共通電圧はデータ電圧より一定電圧だけ小さくてもよい。
【００３０】
また本発明に係る液晶表示装置の駆動方法の代表的な構成は，複数の走査線と；上記走査線と絶縁されて交差する複数のデータ線と；上記走査線及びデータ線によって囲まれた領域に形成され，各々上記走査線及びデータ線に連結されているスイッチング素子を有する行列形態で配列された複数の画素と；を含み，上記複数の画素のうちの一つの画素に赤，緑，青の光を順次に透過させる液晶表示装置の駆動方法において：上記駆動方法は各々赤，青，緑の光を駆動するための赤フィールド，青フィールド及び緑フィールドを含み，上記赤フィールド，緑フィールド及び青フィールドの各々に対して，現在フレームのフィールドにおいて，第１画素に第１階調データに相当する第１階調波形を印加し，第１共通電圧を共通電極に印加する段階と；次のフレームのフィールドで上記第１画素に上記第１階調データより一段階低い第２階調データに相当する第２階調波形を印加し，第２共通電圧を共通電極に印加する段階と；を含み，上記第１階調データと上記第２階調データの中間階調を表現することを特徴とする。
【００３１】
上記第１共通電圧と上記第２共通電圧はフィールド単位で切り替えられ，第１共通電圧が上記階調波形のデータ電圧より一定電圧だけ大きい場合には，上記第２共通電圧はデータ電圧より一定電圧だけ小さくてもよい。
【００３２】
上記第１共通電圧と上記第２共通電圧はフィールド単位で切り替えられ，第２共通電圧が上記階調波形のデータ電圧より一定電圧だけ大きい場合には，上記第１共通電圧はデータ電圧より一定電圧だけ小さくてもよい。
【発明の効果】
【００３３】
本発明によれば直前のフィールドに印加した第１共通電圧と第１階調データに対し，電圧の異なる第２共通電圧および第１階調データより一段階低い第２階調データを用いることによって，消費電力を減少させると同時に滑らかな階調表示を可能とすることができる。
【発明を実施するための最良の形態】
【００３４】
以下に添付図面を参照しながら，本発明の好適な実施の形態について詳細に説明する。なお，本明細書及び図面において，実質的に同一の機能構成を有する構成要素については，同一の符号を付することにより重複説明を省略する。なお，本発明は多様で相異なる形態で実現することができ，ここで説明する実施形態に限定されない。
【００３５】
図４は本実施形態に係る液晶表示装置を示す図面である。
【００３６】
図４に示したように本実施形態に係る液晶表示装置は，液晶表示パネル１００，走査ドライバー２００，データドライバー３００，階調電圧発生部４００，タイミング制御機５００，共通電圧発生部６００，Ｒ，Ｇ，Ｂ光を各々出力する発光ダイオード７００ａ，７００ｂ，７００ｃ及び光源制御機８００を含む。
【００３７】
液晶表示パネル１００にはゲートオン信号を伝達するための複数の走査線（図示せず）が形成されており，上記複数の走査線に絶縁されて交差し階調データに相当する階調データ電圧及びリセット電圧を伝達するためのデータ線（図示せず）が形成されている。行列形態で配列された複数の画素は各々走査線とデータ線によって囲まれており，各画素は走査線とデータ線に各々ゲート電極及びソース電極が連結される薄膜トランジスタ（図示せず）と，この薄膜トランジスタのドレイン電極に一端が連結され，他端が共通電極線に連結される画素キャパシタ（図示せず）とストレージキャパシタ（図示せず）を含む。
【００３８】
走査ドライバー２００は走査線に順次に走査信号（ゲートオン信号）を印加して走査信号が印加されたＴＦＴ１０と共通電圧発生部６００を導通させる。
【００３９】
タイミング制御機５００は外部またはグラフィック制御機（図示せず）から階調データ信号Ｒ，Ｇ，Ｂデータ，水平同期信号Ｈｓｙｎｃ，垂直同期信号Ｖｓｙｎｃを受信して，必要な制御信号Ｓｇ，Ｓｄ，Ｓｂを各々走査ドライバー２００，データドライバー３００及び光源制御機８００に供給し，通過した又はバッファ増幅された階調データＲ，Ｇ，Ｂデータを階調電圧発生部４００に供給する。
【００４０】
階調電圧発生部４００は階調データに相当する大きさを有する階調電圧を生成してデータドライバー３００に供給する。この時，中間階調を表現するために現在フレームのフィールドで第１階調データに相当する第１階調電圧を生成し，次のフレームのフィールドで上記第１階調データより一段階低い階調である第２階調データに相当する第２階調電圧を生成してデータドライバー３００に供給する。
【００４１】
共通電圧発生部６００はフィールド単位で共通電圧のレベルを変調し，共通電圧をＴＦＴに印加する。つまり，現在フレームのフィールドで第１階調電圧がデータドライバー３００に供給される時，第１画素に第１共通電圧を生成し，次のフレームのフィールドで第２共通電圧を生成してＴＦＴに供給する。
【００４２】
また，共通電圧発生部６００は第１共通電圧及び第２共通電圧を生成し，上記第１階調電圧を印加する時には第１共通電圧，上記第２階調電圧を印加する時には第２共通電圧を上記キャパシタに連結された共通電極に切り替えて印加することができる。
【００４３】
発光ダイオード７００ａ，７００ｂ，７００ｃは各々Ｒ，Ｇ，Ｂに相当する光をＬＣＤパネルに出力し，光源制御機８００は発光ダイオード７００ａ，７００ｂ，７００ｃの点灯時期を制御する。この時，本実施形態によれば，データドライバー３００から当該階調データをデータ線に供給する時点と光源制御機８００によってＲ，Ｇ，Ｂ発光ダイオードを点灯する時点はタイミング制御機５００によって提供される制御信号によって同期できる。
【００４４】
図５は本実施形態による液晶表示装置の駆動波形を示した図面である。
【００４５】
図５に示すように，フィールド順次ＬＣＤでＶｃｏｍ反転駆動を行う時，階調を表現することにおいて，Ｒフィールドで３２階調を表現した後，次のＲフィールドで３１階調を使用すれば，３１．５階調が表現される。これと同様にＲ，Ｇ，Ｂ全てのフィールドに対してＶｃｏｍが＋符号である場合とＶｃｏｍが−符号である場合に各々階調を交差使用して中間階調を表現することができる。すなわち，３２階調を有して中間階調を表現し６４階調を表現することができる。
【００４６】
また，ＦＲＭ（Frame Rate Modulation）を利用した場合にも，同様に本発明を適用し，滑らかな画面表示を行うことができる。
【００４７】
以上，添付図面を参照しながら本発明の好適な実施形態について説明したが，本発明は係る例に限定されないことはいうまでもない。当業者であれば，特許請求の範囲に記載された範疇内において，各種の変更例または修正例に想到しうることは明らかであり，それらについても当然に本発明の技術的範囲に属するものと了解される。
【産業上の利用可能性】
【００４８】
本発明は，フィールド順次駆動方式のカラー液晶表示装置及びその駆動方法として利用することができる。
【図面の簡単な説明】
【００４９】
【図１】従来のＴＦＴ−ＬＣＤの画素を示す図面である。
【図２】従来のアナログ方式液晶表示装置の駆動方法を説明するための波形図である。
【図３】従来のデジタル方式液晶表示装置の駆動方法を説明するための波形図である。
【図４】本実施形態による液晶表示装置を示す図面である。
【図５】本実施形態による液晶表示装置の駆動波形を示した図面である。
【符号の説明】
【００５０】
１００  液晶表示パネル
２００  走査ドライバー
３００  データドライバー
４００  階調電圧発生部
５００  タイミング制御機
６００  共通電圧発生部
７００ａ，７００ｂ，７００ｃ  発光ダイオード
８００  光源制御機
Ｈｓｙｎｃ  水平同期信号
Ｒ，Ｇ，Ｂデータ  階調データ信号
Ｓｇ，Ｓｄ，Ｓｂ  制御信号
Ｖｓｙｎｃ  垂直同期信号
【図１】
2005331942.tif 000003
【図２】
2005331942.tif 000004
【図３】
2005331942.tif 000005
【図４】
2005331942.tif 000006
【図５】
2005331942.tif 000007